(57)【要約】【課題】省スペース化が可能な管理装置を提供する。【解決手段】制御ユニット２１のコネクタ接続部８９には、アンテナケーブル１４１を介して、第一のアンテナユニット３１の上流側コネクタ接続部１０２を接続でき、第一のアンテナユニット３１の下流側コネクタ接続部１０３には、アンテナケーブル１４１を介して、第二のアンテナユニット３２の上流側コネクタ接続部１０２を接続できる。第二のアンテナユニット３２の下流側コネクタ接続部には、アンテナケーブル１４１を介して、第三のアンテナユニット３３の上流側コネクタ接続部１０２を接続でき、第三のアンテナユニット３３の下流側コネクタ接続部１０３には、アンテナケーブル１４１を介して、第四のアンテナユニット３４の上流側コネクタ接続部１０２を接続できる。【選択図】図３
2015197886.tif 000002
【特許請求の範囲】
【請求項１】
セットされた記憶媒体からデータを取得する管理装置において、
前記記憶媒体とデータ通信を行うアンテナユニットと、該アンテナユニットで取得したデータを収集する制御ユニットとを備え、該制御ユニットに接続される前記アンテナユニットを増減可能に構成するとともに、接続されたアンテナユニットを識別可能に構成し、
前記アンテナユニットに、前記記憶媒体がセットされる収容部と、当該収容部にセットされた記憶媒体とデータ通信を行うアンテナとを設けたことを特徴とする管理装置。
【請求項２】
前記制御ユニットに複数のアンテナユニットを接続する際に各アンテナユニットを直列に接続する接続構造を有する一方、
前記制御ユニットは、当該制御ユニットから何台目に接続されたアンテナユニットであるかからアンテナユニットを識別することを特徴とした請求項１記載の管理装置。
【請求項３】
前記制御ユニットは、当該制御ユニットに接続されたアンテナユニットの数を検出する検知手段を備えたことを特徴とする請求項１又は２記載の管理装置。
【発明の詳細な説明】
【技術分野】
【０００１】
本発明は、記憶媒体からデータを取得する機能を有した管理装置に関する。
【背景技術】
【０００２】
製造工場等では、製造工程を管理する為に、図６に示すような管理装置としての管理ポスト８０１が利用されている。
【０００３】
この管理ポスト８０１の前面には、４段のカード収容部８１１，・・・が設けられており、各カード収容部８１１，・・・には、カード体を差し込めるように構成されている。各カード体には、ＲＦＩＤチップが内蔵されており、データを読み書きできるように構成されている。
【０００４】
これらのカード体としては、例えば製造する製品のデータが記憶された製品用カード８２１，・・・と、作業者が所有するＩＤカード８２２，・・・とがあり、作業者は、作業開始時に製造する製品用カード８２１と所有のＩＤカード８２２とを、いずれかの前記カード収容部８１１の空き箇所に挿入するように構成されている。
【０００５】
前記管理ポスト８０１は、前記ＲＦＩＤチップと通信を行うアンテナを内蔵しており、このアンテナで受信した信号から前記ＲＦＩＤチップのデータを取得することで、前記カード収容部８１１，・・・に挿入された総てのカード８２１，・・・、８２２，・・・からデータを読み込めるように構成されている。前記各カード８２１，・・・、８２２，・・・から読み出したデータは、図外のサーバーに送られるように構成されており、該サーバーは、前記製品用カード８２１からのデータに応じた作業指示を前記管理ポスト８０１に送信して表示させたり、前記ＩＤカード８２２からのデータに応じて作業者別の進捗管理を行えるように構成されている。
【０００６】
図７は、四つの作業エリアを有する工場を示す図であり、当該工場では、第一の作業を行う作業エリアＡ８３１と、第二の作業を行う作業エリアＢ８３２と、第三の作業を行う作業エリアＣ８３３と、第四の作業を行う作業エリアＤ８３４とが設けられている。各エリアＡ８３１〜Ｄ８３４には、第一から第四の管理ポスト８０１ａ〜８０１ｄが設置されており、各エリアＡ〜Ｄ８３１〜８３４に設置された各管理ポスト８０１ａ〜８０１ｄからのデータをサーバーが受信することで、どのエリア８３１〜８３４で誰が何の製品の作業を行っているかを取得できるように構成されている。
【発明の概要】
【発明が解決しようとする課題】
【０００７】
しかしながら、このようなシステムにあっては、各作業エリア８３１〜８３４ごとに管理ポスト８０１ａ〜８０１ｄを設置する必要があった。
【０００８】
このため、各作業エリア８３１〜８３４に管理ポスト８０１ａ〜８０１ｄの設置スペースを確保しなければならず、省スペース化の阻害要因となっていた。
【０００９】
本発明は、このような従来の課題に鑑みてなされたものであり、省スペース化が可能な管理装置を提供することを目的とするものである。
【課題を解決するための手段】
【００１０】
前記課題を解決するために本発明の請求項１の管理装置にあっては、セットされた記憶媒体からデータを取得する管理装置において、前記記憶媒体とデータ通信を行うアンテナユニットと、該アンテナユニットで取得したデータを収集する制御ユニットとを備え、該制御ユニットに接続される前記アンテナユニットを増減可能に構成するとともに、接続されたアンテナユニットを識別可能に構成し、前記アンテナユニットに、前記記憶媒体がセットされる収容部と、当該収容部にセットされた記憶媒体とデータ通信を行うアンテナとを設けた。
【００１１】
すなわち、この管理装置は、アンテナユニットと制御ユニットとを備えており、該制御ユニットに接続される前記アンテナユニットを増減することができる。
【００１２】
このため、一台の管理装置によって、例えば四箇所の作業エリアを管理する際には、前記制御ユニットに四台のアンテナユニットを接続することができる。
【００１３】
このとき、前記アンテナユニットには、記憶媒体がセットされる収容部と、当該収容部にセットされた記憶媒体とデータ通信を行うアンテナとが設けられており、当該アンテナユニットで取得した記憶媒体のデータは前記制御ユニットで収集される。
【００１４】
このため、第一のアンテナユニットに第一の作業エリアを割り当てた場合において、当該第一のアンテナユニットの収容部に例えば記憶媒体を有するＩＤカードがセットされた際には、当該ＩＤカードのデータが第一のアンテナユニットのアンテナで取得され、当該第一のアンテナユニットから前記制御ユニットに送られる。
【００１５】
ここで、前記制御ユニットは、接続されたアンテナユニットを識別できる。
【００１６】
その識別方法としては、接続されるアンテナユニットの基板に予め付与した基板ＩＤを利用したり、カスケード接続する際にアンテナユニットが接続されるコネクタからアンテナユニットを識別したりする方法等が例として挙げられる。
【００１７】
このため、当該制御ユニットは、前記ＩＤカードの所有者が前記第一のアンテナユニットが管轄する第一の作業エリアで作業中であることを認識することができる。
【００１８】
また、請求項２の管理装置においては、前記制御ユニットに複数のアンテナユニットを接続する際に各アンテナユニットを直列に接続する接続構造を有する一方、前記制御ユニットは、当該制御ユニットから何台目に接続されたアンテナユニットであるかからアンテナユニットを識別する。
【００１９】
すなわち、前記制御ユニットに複数のアンテナユニットを接続する場合、各アンテナユニットを直列に接続することができ、前記制御ユニットは、当該制御ユニットから何台目に接続されたアンテナユニットであるかからアンテナユニットを識別することができる。
【００２０】
このため、例えば複数のアンテナユニットを重ねて配置する場合、各アンテナユニットを直列接続することができるので、カスケード接続する場合と比較して、配線の簡素化が図られる。また、前記アンテナユニットは、直列接続されることから、カスケード接続される場合のように、コネクタ数などによる接続数の制限を受けない。
【００２１】
さらに、請求項３の管理装置では、前記制御ユニットは、当該制御ユニットに接続されたアンテナユニットの数を検出する検知手段を備えた。
【００２２】
すなわち、前記制御ユニットは、当該制御ユニットに接続されたアンテナユニットの数を検出することができる。
【００２３】
このため、接続数が不明のため、接続可能数分の指示を出さなければならない場合と比較して、制御の簡素化を図ることができる。
【発明の効果】
【００２４】
以上説明したように本発明の請求項１の管理装置にあっては、制御ユニットに接続されるアンテナユニットを増減することができる。このため、一台の管理装置によって複数箇所の作業エリアを管理する際には、前記制御ユニットに、各作業エリアに対応した数のアンテナユニットを接続することができる。
【００２５】
このとき、前記アンテナユニットには、記憶媒体がセットされる収容部と、当該収容部にセットされた記憶媒体とデータ通信を行うアンテナとが設けられており、当該アンテナユニットで取得した記憶媒体のデータは前記制御ユニットで収集される。このため、第一のアンテナユニットに第一の作業エリアを割り当てた場合において、当該第一のアンテナユニットの収容部に例えば記憶媒体を有するＩＤカードがセットされた際には、当該ＩＤカードのデータが第一のアンテナユニットのアンテナで取得され、当該第一のアンテナユニットから前記制御ユニットに送られる。
【００２６】
ここで、前記制御ユニットは、接続されたアンテナユニットを識別できるので、当該制御ユニットは、前記ＩＤカードの所有者が前記第一のアンテナユニットが管轄する第一の作業エリアで作業中であることを認識することができる。
【００２７】
このように、一台の管理装置によって複数の作業エリアを個別に管理することができる。このため、各作業エリアごとに管理ポストを設置しなければならなかった従来と比較して、管理装置の設置場所が一箇所で済み、省スペース化を図ることができる。これにより、作業エリアの有効活用が可能となる。
【００２８】
また、請求項２の管理装置においては、前記制御ユニットに複数のアンテナユニットを接続する場合、各アンテナユニットを直列に接続することができ、前記制御ユニットは、当該制御ユニットから何台目に接続されたアンテナユニットであるかからアンテナユニットを識別することができる。
【００２９】
このため、例えば複数のアンテナユニットを重ねて配置する場合、各アンテナユニットを直列接続することができる。よって、カスケード接続する場合と比較して、配線を簡素化することができる。
【００３０】
また、前記アンテナユニットは、直列接続されることから、カスケード接続される場合のように、コネクタ数などによる接続数の制限を受けない。このため、アンテナユニットの増減に対して柔軟に対応することができ、利便性が向上する。
【００３１】
さらに、請求項３の管理装置では、前記制御ユニットに接続されたアンテナユニットの数を検出することができる。
【００３２】
このため、接続数が不明のため、接続可能数分の指示を出さなければならない場合と比較して、制御の簡素化を図ることができる。これにより、不要な指示処理が無くなるので、制御の高速化を図ることができる。
【図面の簡単な説明】
【００３３】
【図１】本発明の一実施の形態の斜視図である。
【図２】同実施の形態の利用形態を示す説明図である。
【図３】同実施の形態を示すブロック図である。
【図４】同実施の形態の動作を示すフローチャートである。
【図５】同実施の形態のアンテナ段数検知処理を示すフローチャートである。
【図６】従来例を示す説明図である。
【図７】従来の利用形態を示す説明図である。
【発明を実施するための形態】
【００３４】
以下、本発明の一実施の形態を図に従って説明する。
【００３５】
図１は、本実施の形態にかかる管理装置１を示す図であり、該管理装置１は、セットされた記憶媒体からデータを取得する装置である。
【００３６】
図２は、この管理装置１の利用形態を示す図であり、製造工場において、一台の管理装置１によって第一〜第四の作業エリア１１〜１４での作業を管理できるように構成されている。前記管理装置１は、図外のサーバーに接続されており、前記管理装置１で得られたデータは、このサーバーへ送られるように構成されている。
【００３７】
前記管理装置１は、図１に示したように、ユニット化された制御ユニット２１とアンテナユニットとで構成されており、前記制御ユニット２１に接続される前記アンテナユニットは、その接続数を増減できるように同幅寸法に設定されている。
【００３８】
この管理装置１の最上段には、前記制御ユニット２１が設けられており、該制御ユニット２１の下段には、第一のアンテナユニット３１が接続されている。該第一のアンテナユニット３１の下段には、第二のアンテナユニット３２が接続されており、該第二のアンテナユニット３２の下段には、第三のアンテナユニット３３が接続されている。そして、該第三のアンテナユニット３３の下段には、第四のアンテナユニット３４が接続されている。
【００３９】
前記第一のアンテナユニット３１は、図２に示したように、前記第一の作業エリア１１での作業を管理するように関連づけられており、前記第二のアンテナユニット３２は、前記第二の作業エリア１２での作業を管理するように関連づけられている。前記第三のアンテナユニット３３は、前記第三の作業エリア１３での作業を管理するように関連づけられており、前記第四のアンテナユニット３４は、前記第四の作業エリア１４での作業を管理するように関連づけられている。
【００４０】
前記各アンテナユニット３１〜３４は、図１に示したように、同じ構成を有しており、各アンテナユニット３１〜３４の前面には、第一〜第四の収容部４１〜４４が設けられている。各収容部４１〜４４は、カード体を差し込んだ状態で保持できるように構成されており、このカード体には、非接触でデータの読み書きが行える記憶媒体としてのＲＦＩＤチップが内蔵されている。
【００４１】
これらのカード体としては、製造する製品のデータが記憶された製品用カード５１や、所有する作業者のデータが記憶されたＩＤカード５２等があり、各作業者は、作業開始時に、製造する製品に応じた製品用カード５１と所有のＩＤカード５２とを、作業を行う作業エリア１１〜１４に対応したアンテナユニット３１〜３４の収容部４１〜４４に挿入するように構成されている。
【００４２】
前記各アンテナユニット３１〜３４は、当該アンテナユニット３１〜３４の収容部４１〜４４に収容されたカード体内蔵のＲＦＩＤチップとデータ通信を行うように構成されており、前記各アンテナユニット３１〜３４で取得したデータは、前記制御ユニット２１で収集されるように構成されている。
【００４３】
図３は、前記管理装置１の構成を示すブロック図であり、前記制御ユニット２１には、パテライト６１と、イーサーネット６２と、ＲＳ２３２Ｃ６３と、ＡＣアダプタ６４とが接続されている。また、前記制御ユニット２１は、メインＣＰＵ６５を中心に構成されており、該メインＣＰＵ６５には、ＷＩＦＩモジュール６６が接続されている。該ＷＩＦＩモジュール６６には、ＷＩＦＩアンテナ６７が接続されており、該ＷＩＦＩアンテナ６７を介して図外のサーバーと無線通信できるように構成されている。
【００４４】
前記メインＣＰＵ６５には、グラフィックＬＣＤ７１と、７セグメントＬＥＤ７２と、７色ＬＥＤ７３とが接続されており、前記グラフィックＬＣＤ７１や前記７セグメントＬＥＤ７２や前記７色ＬＥＤ７３を使用して様々な表示が行えるように構成されている。また、前記メインＣＰＵ６５には、電源スイッチ７４と呼出スイッチ７５とが接続されており、前記電源スイッチ７４で当該管理装置１の電源をオンオフするとともに、前記呼出スイッチ７５で管理者を呼び出せるように構成されている。
【００４５】
前記メインＣＰＵ６５には、サブＣＰＵ８１が接続されており、該サブＣＰＵ８１には、データバス８２を構成する配線８３が接続されている。また、前記メインＣＰＵ６５には、アンテナ制御送信ライン８４を構成する配線８５と、アンテナ制御受信ライン８６を構成する配線８７とが接続されており、前記データバス８２や前記アンテナ制御送信ライン８４や前記アンテナ制御受信ライン８６を構成する各配線８３，８５，８７は、当該制御ユニット２１の基板８８に設けられたコネクタ接続部８９に接続されている。
【００４６】
前記各アンテナユニット３１〜３４は、アンテナ基板１０１を備えており、該アンテナ基板１０１には、上流側のユニットと接続する為の上流側コネクタ接続部１０２と、下流側のユニットと接続する為の下流側コネクタ接続部１０３とが設けられている。
【００４７】
前記上流側コネクタ接続部１０２には、前記アンテナ制御送信ライン８４を構成する配線１１１が接続されており、この配線１１１は、制御レジスタ１１２の入力に接続されている。該制御レジスタ１１２の出力には、前記アンテナ制御送信ライン８４を構成する配線１１３が接続されており、この配線１１３は、前記下流側コネクタ接続部１０３に接続されている。
【００４８】
また、前記上流側コネクタ接続部１０２には、前記データバス８２を構成する配線１２１が接続されており、この配線１２１は、ＲＦＩＤコントローラ１２２に接続されるとともに、前記下流側コネクタ接続部１０３に接続されている。
【００４９】
そして、前記上流側コネクタ接続部１０２には、前記アンテナ制御受信ライン８９を構成する配線１３１が接続されており、この配線１３１は、前記下流側コネクタ接続部１０３に接続されている一方、接続端子１３５によって前記制御レジスタ１１２の出力に接続できるように構成されている（第四のアンテナユニット３４にのみ図示）。
【００５０】
前記制御レジスタ１１２は、上流側のユニットから送信された信号を記憶するように構成されており、電源が投入された初期状態では、「００００Ｂ」が記憶されている（制御レジスタ１１２が４ビットで構成された場合を例に挙げて説明する）。この制御レジスタ１１２は、上流側のユニットからデータが送られてきた際に、現在記憶しているデータを出力するとともに、送られてきたデータを新たに記憶するように構成されており、例えば「００００Ｂ」が記憶された初期状態において、上流側のユニットから「０００１Ｂ」が送られてきた際には、「００００Ｂ」を下流側のユニットに送信した後、上流側のユニットから送られてきた「０００１Ｂ」を記憶するように構成されている。
【００５１】
前記制御レジスタ１１２には、前記ＲＦＩＤコントローラ１２２が接続されており、該ＲＦＩＤコントローラ１２２には、ループ式のアンテナ１３６が接続されている。前記ＲＦＩＤコントローラ１２２は、前記アンテナ１３６を介して、電波を送受信するように構成されており、この電波は、磁界整流部品１３７よって、当該アンテナユニット３１〜３４に設けられた前記収容部４１〜４４へ向けて送受信されるように構成されている。
【００５２】
これにより、前記ＲＦＩＤコントローラ１２２は、前記制御レジスタ１１２に記憶されたデータに従って動作することで、当該アンテナユニット３１〜３４の収容部４１〜４４に収容されたカード体内蔵のＲＦＩＤチップとデータ通信を行えるように構成されている。
【００５３】
具体的に説明すると、例えば前記制御レジスタ１１２の記憶データの最下位ビットに対しては動作を行わず、第２ビットが「１」の場合にはデータ読み出し処理を行うと定義した場合、前記記憶データが「００１０Ｂ」となった際に、前記ＲＦＩＤコントローラ１２２は、前記アンテナ１３６を介して電波を送受信することで、対応する収容部４１〜４４に収容されたカード体内蔵のＲＦＩＤチップから所定の記憶データを読み出すように構成されており、読み出したデータは、前記データバス８２を介して前記制御ユニット２１に送られるように構成されている。これにより、前記当該アンテナユニット３１〜３４で取得したデータを、前記制御ユニット２１で収集できるように構成されている。
【００５４】
そして、この管理装置１では、前記制御ユニット２１の前記コネクタ接続部８９が、アンテナケーブル１４１を介して、前記第一のアンテナユニット３１の前記上流側コネクタ接続部１０２に接続されており、当該第一のアンテナユニット３１は、前記制御ユニット２１とデータを遣り取りできるように構成されている。前記第一のアンテナユニット３１の前記下流側コネクタ接続部１０３は、アンテナケーブル１４１を介して、前記第二のアンテナユニット３２の前記上流側コネクタ接続部１０２に接続されており、当該第二のアンテナユニット３２は、前記第一のアンテナユニット３１及び前記制御ユニット２１とデータを遣り取りできるように構成されている。
【００５５】
該第二のアンテナユニット３２の前記下流側コネクタ接続部１０３は、アンテナケーブル１４１を介して、前記第三のアンテナユニット３３の前記上流側コネクタ接続部１０２に接続されており、当該第三のアンテナユニット３３は、前記第二のアンテナユニット３２及び前記制御ユニット２１とデータを遣り取りできるように構成されている。前記第三のアンテナユニット３３の前記下流側コネクタ接続部１０３は、アンテナケーブル１４１を介して、前記第四のアンテナユニット３４の前記上流側コネクタ接続部１０２に接続されており、当該第四のアンテナユニット３４は、前記第三のアンテナユニット３３及び前記制御ユニット２１とデータを遣り取りできるように構成されている（第三のユニット３３は図示省略）。
【００５６】
これにより、前記制御ユニット２１には、第一〜第四のアンテナユニット３１〜３４が直列に接続されている。
【００５７】
末端に接続された前記第四のアンテナユニット３４では、接続端子１３５によって前記制御レジスタ１１２の出力が、前記上流側コネクタ接続部１０２に接続されており、前記制御レジスタ１１２から出力されたデータは、上流側に設けられた各アンテナユニット３１〜３３が構成する前記アンテナ制御受信ライン８６を介して、前記制御ユニット２１に入力されるように構成されている。
【００５８】
図４は、前記管理装置１の動作を示すフローチャートであり、前記制御ユニット２１の動作が示されている。
【００５９】
すなわち、前記管理装置１の電源がオンされ、前記メインＣＰＵ６５が図外のＲＯＭに記憶されたプログラムに従って動作を開始すると、図外のＲＡＭに設定されたデータをクリアする等の初期処理を行った後（Ｓ１）、アンテナ段数検知処理が実行される（Ｓ２）。
【００６０】
このアンテナ段数検知処理は、図５に示すように、前記制御ユニット２１に接続されたアンテナユニット３１〜３４の数を検出するサブルーチンであり、電源投入時には、前記各アンテナユニット３１〜３４の各制御レジスタ１１２，・・・の内容は「０」にクリアされている（ＳＢ１、図５中右側の（０）参照）。
【００６１】
前記メインＣＰＵ６５は、ＲＡＭに確保された「段数ｎ」の内容を「０」にし（ＳＢ２）、制御電文「１（例えば０００１Ｂ）」をアンテナ制御送信ライン８４を介して、次段に接続された前記第一のアンテナユニット３１に送信するとともに（ＳＢ３）、アンテナ制御受信ライン８６からのデータを受信する制御電文受信処理を行う（ＳＢ４）。
【００６２】
このとき、前記第一のアンテナユニット３１は、上流側のユニットである前記制御ユニット２１から「１（０００１Ｂ）」が送られてきたことに基づいて、現在制御レジスタ１１２に記憶されているデータ「０（００００Ｂ）」を下流側のユニットである第二のアンテナユニット３２へ送信した後、前記制御ユニット２１から送られてきた「１（０００１Ｂ）」を前記制御レジスタ１１２に記憶する。
【００６３】
これを受信した第二のアンテナユニット３２は、上流側のユニットである前記第一のアンテナユニット３１から「０（００００Ｂ）」が送られてきたことに基づいて、現在制御レジスタ１１２に記憶されているデータ「０（００００Ｂ）」を下流側のユニットである第三のアンテナユニット３３へ送信した後、前記第一のアンテナユニット３１から送られてきた「０（００００Ｂ）」を前記制御レジスタ１１２に記憶する。
【００６４】
これを受信した第三のアンテナユニット３３は、上流側のユニットである前記第二のアンテナユニット３２から「０（００００Ｂ）」が送られてきたことに基づいて、現在制御レジスタ１１２に記憶されているデータ「０（００００Ｂ）」を下流側のユニットである第四のアンテナユニット３４へ送信した後、前記第二のアンテナユニット３１から送られてきた「０（００００Ｂ）」を前記制御レジスタ１１２に記憶する。
【００６５】
これを受信した第四のアンテナユニット３４は、上流側のユニットである前記第三のアンテナユニット３３から「０（００００Ｂ）」が送られてきたことに基づいて、現在制御レジスタ１１２に記憶されているデータ「０（００００Ｂ）」を、前記アンテナ制御受信ライン８６を介して、前記制御ユニット２１へ送信する。
【００６６】
すると、該制御ユニット２１では、前記アンテナ制御受信ライン８９からデータ「０（００００Ｂ）」が送られてくるので、これを受信して、「１（０００１Ｂ）」であるか否かを判断する（ＳＢ５）。このとき、この受信データは、「０（００００Ｂ）」なので、ＲＡＭに確保された「段数Ｎ」に「１」を加算して「１」とした後（ＳＢ６）、前記ステップＳＢ３へ移行して、前記アンテナ制御受信ライン８９から送られてくるデータが「１（０００１Ｂ）」になるまで、前記各ステップＳＢ３〜ＳＢ６を繰り返す（図５中右側の（０）〜（５）参照）。
【００６７】
これにより、前記制御ユニット２１から出力されたデータ「１（０００１Ｂ）」は、前記第一のアンテナユニット３１、前記第二のアンテナユニット３２、前記第三のアンテナユニット３３、前記第四のアンテナユニット３４の順で送られた後、該第四のアンテナユニット３４から前記制御ユニット２１へ戻される。この管理装置１では、四台のアンテナユニット３１〜３４が接続されているので、前記各ステップＳＢ３〜ＳＢ６を五回繰り返すと、前記制御ユニット２１にてデータ「１（０００１Ｂ）」が受信される（図５中右側の（１）〜（５）参照）。
【００６８】
前記ステップＳＢ５において、データ「１（０００１Ｂ）」を受信したと判断した際には、現在の「段数ｎ」の値を参照し、当該制御ユニット２１に接続されたアンテナユニット３１の数を確定し（ＳＢ７）、メインルーチンへ戻る。
【００６９】
このとき、前記「段数ｎ」には、「４」が記憶されているので、四台（四段）のアンテナユニット３１〜３４が接続されていることを把握することでき、この「４」を「アンテナユニット数」として記憶する。
【００７０】
メインルーチンでは、ＲＡＭに確保された「段Ｎｏ」を「１」として（Ｓ３）、ＲＦタグ読み出し処理を行う（Ｓ４）。
【００７１】
このＲＦダグ読み出し処理では、前記各アンテナユニット３１〜３４の各収容部４１〜４４に収容されたカード体内蔵のＲＦＩＤチップから所定データを読み出す処理であり、当該ＲＦダグ読み出し処理が呼び出される毎に、「段Ｎｏ」に示す段数のアンテナユニット３１〜３４に収容されたカード体からデータを読み出すように構成されている。
【００７２】
例えば前記各アンテナユニット３１〜３４において、前記制御レジスタ１１２に記憶されたデータの第２ビットが「１」の場合にデータ受信処理を行うと定義した場合、前記制御レジスタ１１２の記憶データが例えば「００１０Ｂ」となった際に、前記「段Ｎｏ」が示す段数のアンテナユニット３１〜３４の前記ＲＦＩＤコントローラ１２２は、前記アンテナ１３６を介して電波を送受信することで、前記収容部４１〜４４に収容されたカード体内蔵のＲＦＩＤチップから所定の記憶データを読み出すように構成されており、読み出したデータは、前記データバス８２を介して前記制御ユニット２１に送られるように構成されている。
【００７３】
具体的に説明すると、前記制御ユニット２１の前記ＣＰＵ６５は、当該ＲＦタグ読み出し処理の実行は初回なので、ＲＦダグ読み出し命令を示す制御電文例えば「００１０Ｂ」をアンテナ制御送信ライン８４を介して、次段に接続された前記第一のアンテナユニット３１に送信するとともに、前記データバス８２のデータを読み込む。
【００７４】
このとき、前記第一のアンテナユニット３１の前記制御レジスタ１１２には、制御電文「００１０Ｂ」が記憶されるので、前記ＲＦＩＤコントローラ１２２は、当該第一のアンテナユニット３１に設けられた前記収容部４１内のカード体内蔵のＲＦＩＤチップから所定の記憶データを読み出して前記データバス８２に出力する。
【００７５】
すると、前記制御ユニット２１は、前記データバス８２からのデータを読み出して、現在の「段Ｎｏ」である「１」と、前記データバス８２からのデータとを関連づけてＲＡＭに記憶する。
【００７６】
これにより、前記制御ユニット２１から一番目である最上流に接続された前記第一のアンテナユニット３１に収容された前記製品用カード５１や前記ＩＤカード５２のデータを、当該第一のアンテナユニット３１に関連づけられた第一の作業エリア１１に関連づけて記憶することができる。
【００７７】
そして、メインルーチンでは、前記「段Ｎｏ」が前記「アンテナユニット数」に記憶された「４」であるか否かを判断する（Ｓ５）。このとき、前記「段Ｎｏ」は「１」なので、前記「段Ｎｏ」に「１」を加算して「２」にした後（Ｓ６）、前記ステップＳ４へ移行して前記ＲＦダグ読み出し処理を行う。
【００７８】
すなわち、このＲＦダグ読み出し処理は二回目なので、前記制御ユニット２１の前記ＣＰＵ６５は、制御電文例えば「００００Ｂ」をアンテナ制御送信ライン８４を介して、次段に接続された前記第一のアンテナユニット３１に送信するとともに、前記データバス８２のデータを読み込む。
【００７９】
このとき、前記第一のアンテナユニット３１は、前記制御ユニット２１から「００００Ｂ」が送られてきたことに基づいて、現在制御レジスタ１１２に記憶されているデータ「００１０Ｂ」を第二のアンテナユニット３２へ送信した後、前記制御ユニット２１から送られてきた「００００Ｂ」を前記制御レジスタ１１２に記憶する。これにより、当該第一のアンテナユニット３１の前記制御レジスタ１１２には、制御電文「００００Ｂ」が記憶されるので、何も行わない。
【００８０】
一方、前記第二のアンテナユニット３２は、前記第一のアンテナユニット３１から「００１０Ｂ」が送られてきたことに基づいて、現在制御レジスタ１１２に記憶されているデータ「００００Ｂ」を第三のアンテナユニット３３へ送信した後、前記第一のアンテナユニット３１から送られてきた「００１０Ｂ」を前記制御レジスタ１１２に記憶する。これにより、前記ＲＦＩＤコントローラ１２２は、当該第二のアンテナユニット３２に設けられた前記収容部４２内のカード体内蔵のＲＦＩＤチップから所定の記憶データを読み出して前記データバス８２に出力する。
【００８１】
すると、前記制御ユニット２１は、前記データバス８２からのデータを読み出して、現在の「段Ｎｏ」である「２」と、前記データバス８２からのデータとを関連づけてＲＡＭに記憶する。これにより、前記制御ユニット２１から二番目（二段目）に接続された前記第二のアンテナユニット３２に収容された前記製品用カード５１や前記ＩＤカード５２のデータを、当該第二のアンテナユニット３２に関連づけられた第二の作業エリア１２に関連づけて記憶することができる。
【００８２】
そして、メインルーチンでは、前記「段Ｎｏ」が前記「アンテナユニット数」に記憶された「４」であるか否かを判断し（Ｓ５）、前記「段Ｎｏ」が「４」になるまで、前記各ステップＳ４〜Ｓ５を繰り返す。
【００８３】
このように、前記制御ユニット２１は、当該制御ユニット２１から何番目（何段目）に接続されたアンテナユニット３１〜３４であるかから各アンテナユニット３１〜３４を識別することができる。
【００８４】
次に、前記制御ユニット２１は、各アンテナユニット３１〜３４と、対応するアンテナユニット３１〜３４に収容されたカード体のデータとを関連づけてサーバーに送信した後（Ｓ７）、終了か否かを判断し（Ｓ８）、終了でなければ前記ステップＳ３へ移行して各ステップＳ３〜Ｓ８を繰り返す。これにより、サーバーでは、前記各アンテナユニット３１〜３４に対応した作業エリア１１〜１４において、誰がどのような作業を行っているかを認識することができる。
【００８５】
以上の構成にかかる本実施の形態において、この管理装置１は、アンテナユニット３１〜３４と制御ユニット２１とを備えており、該制御ユニット２１に接続される前記アンテナユニット３１〜３４を増減することができる。
【００８６】
このため、一台の管理装置１によって四箇所の作業エリア１１〜１４を管理する際には、前記制御ユニット２１に、各作業エリア１１〜１４に対応した四台のアンテナユニット３１〜３４を接続することができる。
【００８７】
このとき、前記各アンテナユニット３１〜３４には、記憶媒体としてのＲＦＩＤチップを内蔵したカード体がセットされる収容部４１〜４４と、各収容部４１〜４４にセットされたカード体内蔵のＲＦＩＤチップとデータ通信を行うアンテナ１３６，・・・とが設けられており、各アンテナユニット３１〜３４で取得したカード体のデータは前記制御ユニット２１で収集することができる。
【００８８】
このため、第一のアンテナユニット３１に第一の作業エリア１１を割り当てた本実施の形態において、当該第一のアンテナユニット３１の収容部４１にＩＤカード５２がセットされた際には、当該ＩＤカード５２のデータを第一のアンテナユニット３１のアンテナ１３６で取得して、当該第一のアンテナユニット３１から前記制御ユニット２１に送信することができる。
【００８９】
ここで、前記制御ユニット２１は、接続されたアンテナユニット３１〜３４を識別できるので、当該制御ユニット２１は、前記ＩＤカード５２の所有者が前記第一のアンテナユニット３１が管轄する第一の作業エリア１１で作業中であることを認識することができる。
【００９０】
このように、一台の管理装置１によって複数の作業エリア１１〜１４を個別に管理することができる。このため、各作業エリア１１〜１４ごとに管理ポストを設置しなければならなかった従来と比較して、管理装置１の設置場所が一箇所で済み、省スペース化を図ることができる。これにより、作業エリアの有効活用が可能となる。
【００９１】
また、前記制御ユニット２１に複数のアンテナユニット３１〜３４を接続する場合、各アンテナユニット３１〜３４を直列に接続することができ、前記制御ユニット２１は、当該制御ユニット２１から何番目（何段目）に接続されたアンテナユニット３１〜３４であるかからアンテナユニットを識別することができる。
【００９２】
このため、本実施の形態のように複数のアンテナユニット３１〜３４を上下に重ねて配置する場合、各アンテナユニット３１〜３４を直列接続することができるので、カスケード接続する場合と比較して、配線を簡素化することができる。
【００９３】
また、前記アンテナユニット３１〜３４は、直列接続されることから、カスケード接続される場合のように、コネクタ数などによる接続数の制限を受けない。このため、アンテナユニット３１〜３４の増減に対して柔軟に対応することができ、利便性が向上する。
【００９４】
そして、前記制御ユニット２１は、接続されるアンテナユニット３１〜３４のアンテナ基板１０１に予め基板ＩＤを付与することなく、各アンテナユニット３１〜３４を識別できるので、アンテナ基板１０１の汎用性を高めることができる。
【００９５】
また、前記制御ユニット２１は、前記各アンテナユニット３１〜３４が個別に接続されるコネクタを基板８８に設けること無く、接続された各アンテナユニット３１〜３４をそれぞれ認識することができる。このため、カスケード接続する場合と比較して、コネクタ数を大幅に削減でき、低コスト化を図ることができる。
【００９６】
さらに、前記制御ユニット２１に接続されたアンテナユニット３１〜３４の数を自動で検出することができる。
【００９７】
このため、接続数が不明のため、接続可能数分のコマンド等を送信しなければならない場合と比較して、制御の簡素化を図ることができる。これにより、不要な指示処理が無くなるので、制御の高速化を図ることができる。
【００９８】
なお、本実施の形態では、前記管理装置１を工場での作業管理に用いた場合について説明したが、これに限定されるものでは無く、他の管理に使用しても良い。
【符号の説明】
【００９９】
１    管理装置
２１    制御ユニット
３１    第一のアンテナユニット
４１    第一の収容部
５１    製品用カード
５２    ＩＤカード
１３６    アンテナ
【図１】
2015197886.tif 000003
【図２】
2015197886.tif 000004
【図３】
2015197886.tif 000005
【図４】
2015197886.tif 000006
【図５】
2015197886.tif 000007
【図６】
2015197886.tif 000008
【図７】
2015197886.tif 000009